(57)【要約】      （修正有）【課題】化粧品を塗布するときの肌触りがよい化粧品穂先を提供する。【解決手段】化粧品を塗布するために使用される化粧品穂先１０であって、棒状に形成された円柱部１１と、塗布面によって円柱部１１の厚みよりも薄い二面幅が形成された穂先部１２と、を備えている。また、円柱部１１および穂先部１２は、ポリエチレン樹脂を用いて射出成形によって一体に形成される。【選択図】図２
0003212145.tif 000002
【実用新案登録請求の範囲】
【請求項１】
化粧品を塗布するために使用される化粧品穂先であって、
棒状に形成された本体部と、
塗布面によって前記本体部の厚みよりも薄い二面幅が形成された穂先部と、
を備えていることを特徴とする化粧品穂先。
【請求項２】
前記本体部および前記穂先部は、ポリエチレン樹脂を用いて射出成形によって一体に形成されていることを特徴とする請求項１に記載の化粧品穂先。
【考案の詳細な説明】
【技術分野】
【０００１】
本考案は、アイライナーなどのメークアップ化粧品に用いられる化粧用穂先に関するものである。
【背景技術】
【０００２】
従来、例えば、アイライナーやグロス、リップライナーなどには、リキッド状或いはジェル状の化粧品を塗布するための化粧品穂先が使用されている。この化粧品穂先の構造としては、複数の毛髪状の繊維を束ねて、いわゆる筆のようにしたものが一般的である（例えば、特許文献１、２参照）。
【先行技術文献】
【特許文献】
【０００３】
【特許文献１】特開２０１１−５６２０２号公報
【特許文献２】実公平７−４０３３０号公報
【考案の概要】
【考案が解決しようとする課題】
【０００４】
上述した筆状の穂先では、穂先を柔らかくすると、複数回の使用によって筆先が開いたり曲げくせなどが生じてしまうことがある。そのため、アイライナーのように細いラインを所望の位置に引き難くなってしまう。一方、穂先を固くすると、曲げくせなどは生じにくいが、使用するときの肌触り・触感が悪く、利用者によっては好まれない。
【０００５】
一方、近年では、いわゆるマーカーペンのペン先のような化粧品穂先が使用されることもある。しかしながら、このようなものであっても穂先が固く感じられ、利用者によってはその肌触りが好まれないことがある。
【０００６】
本考案は、上述した事情を鑑みてなされたものであり、化粧品を塗布するときの肌触りがよい化粧品穂先を提供するためのものである。
【課題を解決するための手段】
【０００７】
上述課題を解決するため、本考案に係る化粧品穂先は、化粧品を塗布するために使用されるものであり、棒状に形成された本体部と、塗布面によって前記本体部の厚みよりも薄い二面幅が形成された穂先部と、を備えていることを特徴とする。
【０００８】
また、前記本体部および前記穂先部は、ポリエチレン樹脂を用いて射出成形によって一体に形成されていてもよい。
【考案の効果】
【０００９】
本考案によれば、棒状に形成された本体部と、塗布面によって前記本体部の厚みよりも薄い二面幅が形成された穂先部とを備えているので、二面幅の厚みを最適にすることで、弾性によって穂先部が適度に撓みながらまぶたなどの凹凸にフィットするようになる。そのため、化粧品を塗布するときの肌触りがよい化粧品穂先を提供することができる。
【００１０】
また、前記本体部および前記穂先部は、ポリエチレン樹脂を用いて射出成形によって一体に形成することにより、穂先部全体を柔軟に製作することができるので、肌触りの良い心地よさで化粧品を塗布することができる。また、ポリエチレン樹脂を用いた射出成形は、把持部との篏合部分にバリが発生しないので、後加工を必要とせず、製造コストを低減させることができる。
【図面の簡単な説明】
【００１１】
【図１】本発明の実施の形態に係る化粧品穂先を備えたアイライナーの正面図である。
【図２】化粧品穂先を単体で示す図であって、（Ａ）は正面図、（Ｂ）は（Ａ）を下側から見た底面図、（Ｃ）は（Ａ）を右側から見た右側面図である。
【図３】化粧品穂先の他の実施形態を示す図であって、図２（Ｂ）に対応するものである。
【考案を実施するための形態】
【００１２】
以下、本考案の実施形態に係る化粧品穂先１０について、図１〜図３を用いて詳細に説明する。なお、本実施の形態では、メークアップ用品の一例としてリキッドタイプのアイライナー１を用いて説明するが、化粧品穂先１０を使用して化粧品を塗布するものであれば、どのようなメークアップ用品にも使用することができる。
【００１３】
アイライナー１は、図１に示すように、いわゆるペンシルタイプのものであり、持ち手部分を構成する細長い把持部２と、この把持部２の長手方向端部から突出する化粧品穂先１０とを備えている。把持部２の内部には、リキッド状或いはジェル状の化粧品を化粧品穂先１０に供給するためのカートリッジ（図示せず）が装填されている。この化粧品穂先１０は、把持部２に対して、押し込む或いは引き抜くことができるように着脱自在に取り付けられていてもよく、固定されていてもよい。なお、アイライナー１には、化粧品穂先１０の全体を覆うようにしてキャップが着脱可能に取り付けられる。
【００１４】
化粧品穂先１０は、図２（Ａ）〜（Ｃ）に示すように、長尺に形成された断面円形の円柱部（本体部）１１と、この円柱部１１の一方の端部（図２（Ａ）の左側の端部）に形成された穂先部１２とで構成されている。この穂先部１２は、ほぼ平坦な面で構成された２つの塗布面１２ａ、１２ａを有しており、円柱部１１の厚みよりも薄い二面幅が形成されている。この塗布面１２ａは、化粧品を塗布する際に、まぶた等に直接当たる部分になる。
【００１５】
また、穂先部１２の先端部１２ｂには、緩やかな丸みが付けられている。さらに、穂先部１２には、円柱部１１の外周面から塗布面１２ａに向かって緩やかな湾曲面１３、１３が形成されており、穂先部１２に鋭角な角部分ができないようにして肌触りを良好にしている。
【００１６】
一方、円柱部１１の内側には、上述したカートリッジのリキッド抽出口（図示せず）が挿入されるための円錐ざぐり穴１４が設けられている。この円錐ざぐり穴１４にリキッド抽出口が挿入されることよって、化粧品穂先１０とカートリッジの位置が固定されるようになる。
【００１７】
この化粧品穂先１０は、ある程度の弾性を有する樹脂材料で形成されている。上述した穂先部１２の二面幅の形状や、湾曲面１３の形状は、丸棒状の樹脂材料の端部を切削加工することで、円柱部１１の厚みよりも薄い所望の形状、寸法に仕上げることができる。特に二面幅の厚みは、化粧品を塗布するときに適度に撓むように、使用者が心地よく塗布できる厚みに形成されている。また、穂先部１２の撓み量や柔軟性によって、化粧品穂先１０の製品のバリエーションを設けるようにしてもよい。
【００１８】
また、化粧品穂先１０は、一体成形品として製作することができる。詳細には、射出成形によって化粧品穂先１０の形状を作り、金型の分割部分に発生するバリ等を後加工で除去することで製作する。しかしながら、バリ取り加工の手間があるため、上述した切削加工と同じ工程数になってしまい、製造コスト面ではあまりメリットがない。
【００１９】
本実施の形態における化粧品穂先１０は、射出成形でバリが発生せず、かつ、肌触りがなめらかで柔軟性のある素材を繰り返し実験・評価することで、ポリエチレン樹脂が最適であることを見いだした。特に、ポリエチレン樹脂は、射出成形したときにバリが発生しないため、後加工を必要としない。そのため、製作工程を減らすことができ、コスト面で大きなメリットがある。
【００２０】
次に、本実施の形態に係る化粧品穂先１０の作用について説明する。
円錐ざぐり穴１４内に供給されたリキッド状の化粧品は、ポリエチレン樹脂に浸透して穂先部１２の塗布面１２ａからしみ出すようになる。塗布面１２ａは、二面幅の厚みを最適にすることで、弾性によって適度に撓みながらまぶたなどの凹凸にフィットするようになる。
【００２１】
特に、ポリエチレン樹脂で製作された穂先部１２は、塗布面１２ａの表面粗さが小さく滑らかに仕上げることができ、かつ、穂先部全体を柔軟に製作することができるので、肌触りの良い心地よさで化粧品を塗布することができる。
【００２２】
また、穂先部１２は、弾性によって撓んだとしても塗布面１２ａが塑性変形することなく元の状態（形状）に復元するので、複数回の使用によって穂先が歪んだり変形することなく使用することができる。
【００２３】
本発明の化粧品穂先１０では、棒状に形成された円柱部１１と、塗布面１２ａによって円柱部１１の厚みよりも薄い二面幅が形成された穂先部１２とを備えているので、二面幅の厚みを最適にすることで、弾性によって穂先部１２が適度に撓みながらまぶたなどの凹凸にフィットするようになる。そのため、化粧品を塗布するときの肌触りがよい化粧品穂先１０を提供することができる。
【００２４】
また、円柱部１１および穂先部１２は、ポリエチレン樹脂を用いて射出成形によって一体に形成することにより、穂先部１２全体を柔軟に製作することができ、肌触りの良い心地よさで化粧品を塗布することができる。また、ポリエチレン樹脂を用いた射出成形は、把持部との篏合部分にバリが発生しないので、後加工を必要とせず、製造コストを低減させることができる。
【００２５】
以上、本考案の実施形態に係る化粧品穂先１０について述べたが、本考案は既述の実施形態に限定されるものではなく、本考案の技術思想に基づいて各種の変形および変更が可能である。
例えば、図３（Ａ）に示すように、円錐ざぐり穴１４を設けずに構成することもできる。この化粧用穂先２０は、円柱部２１がアイライナー１に装着された後に、リキッド状の化粧品が円柱部２１の外周面に沿って穂先部１２へと供給されるようになる。また、化粧品を穂先部１２に直接付けた後に塗布するようにしてもよい。
【００２６】
また、図３（Ｂ）に示す化粧品穂先３０は、円柱部３１の両側に穂先部１２がそれぞれ形成されている。この２つの穂先部１２は、全く同じ形状で構成することもできるし、二面幅の厚みをそれぞれで異ならせて、撓み（弾性）が異なる２種類の穂先部にしてもよい。さらには、塗布面１２ａの幅をそれぞれ異ならせて、細いライン用と太いライン用にそれぞれ使用できるようにすることもできる。
【００２７】
一方、本実施の形態では、化粧品穂先１０の円柱部１１の形状を円柱形状としたが、円柱に限定されない。例えば、円柱部（本体部）１１の断面形状が矩形、楕円形など、製造のし易さや撓み易さ等の観点から種々の形状を採用することができる。すなわち、断面形状にこだわらず棒状に形成されていればよい。
【符号の説明】
【００２８】
１  アイライナー
２  把持部
１０、２０、３０  化粧品穂先
１１、２１、３１  円柱部（本体部）
１２  穂先部
１２ａ  塗布面
１２ｂ  先端部
１３  湾曲面
１４  円錐ざぐり穴
【図１】
0003212145.tif 000003
【図２】
0003212145.tif 000004
【図３】
0003212145.tif 000005